(57)【特許請求の範囲】
【請求項１】
開口部を開閉する扉体と、
この開口部の上端一側に取り付けられる枠レールと、
前記扉体の上端に取り付けられる扉レールと、
この扉レールおよび前記枠レールそれぞれに長手方向に沿って摺動可能に嵌合し、前記扉体の開閉によりこれら枠レールおよび扉レールに対して摺動する中間レールと、
前記枠レールおよび前記中間レールの間に設けられ、互いに離脱可能に係合することにより前記枠レールに対する前記中間レールの衝突を緩和して消音する消音手段としての第１の係合爪部および第２の係合爪部と、
前記中間レールおよび前記扉レールの間に設けられ、互いに離脱可能に係合することにより前記中間レールに対する前記扉レールの衝突を緩和して消音する消音手段としての第３の係合爪部および第４の係合爪部とを具備し、
前記開口部の閉鎖状態から前記扉体を開口方向に移動させると、前記第３の係合爪部と前記第４の係合爪部とが係合したまま、前記第１の係合爪部と前記第２の係合爪部とが係合するまで、前記枠レールに対して前記中間レールおよび前記扉レールが移動し、そして前記第１の係合爪部と前記第２の係合爪部とが係合する際に前記第３の係合爪部と前記第４の係合爪部との係合が解除され、
この状態からさらに前記扉体を開口方向に移動させると、前記枠レールおよび前記中間レールに対して前記扉レールが移動して前記開口部が開口し、
また、前記開口部の開口状態から前記扉体を閉鎖方向に移動させると、前記第３の係合爪部と前記第４の係合爪部とが係合するまで、前記枠レールおよび前記中間レールに対して前記扉レールが移動し、そして前記第３の係合爪部と前記第４の係合爪部とが係合する際に前記第１の係合爪と前記第２の係合爪部との係合が解除され、
この状態からさらに前記扉体を閉鎖方向に移動させると、前記枠レールに対して前記中間レールおよび前記扉レールが移動して前記開口部が閉鎖する
ことを特徴とした扉開閉装置。
【請求項２】
第４の係合爪部は、扉レールの長手方向における一端内縁に設けられ、
第３の係合爪部は、前記扉レールの一端内縁に衝突する中間レールの長手方向における一端縁に設けられ、
第１の係合爪部は、枠レールの長手方向における一端内縁に設けられ、
第２の係合爪部は、前記枠レールの一端内縁に衝突する前記中間レールの長手方向における中間部に設けられている
ことを特徴とした請求項１記載の扉開閉装置。
【請求項３】
第１の係合爪部、第２の係合爪部、第３の係合爪部および第４の係合爪部は、それぞれ弾性を有する合成樹脂で成形されている
ことを特徴とした請求項１または２記載の扉開閉装置。
【発明の詳細な説明】
【０００１】
【発明の属する技術分野】
本発明は、開口部に扉体を開閉可能に取り付けて、この開口部を開閉可能にする扉開閉装置に関する。
【０００２】
【従来の技術】
従来、この種の扉開閉装置は、建物内の開口部の上端一側に水平に取り付けた枠レールに中間レールを介して扉レールが摺動可能に取り付けられている。また、この扉レールは、建物内の開口部を閉鎖するための扉体である引戸体の上端面に水平に取り付けられている。
【０００３】
そして、この引戸体で建物内の開口部を閉鎖した状態から、この開口部が開口する方向に向けて引戸体を移動させると、この引戸体に取り付けた扉レールが中間レールに対して摺動するとともに、この中間レールが枠レールに対して摺動した後、この開口部が開口する。
【０００４】
【発明が解決しようとする課題】
しかしながら、上述した扉開閉装置では、引戸体を移動させて建物内の開口部を開閉する際に、枠レールに対して中間レールが衝突するとともに、この中間レールに対して扉レールが衝突する。特に、激しく引戸体を移動させて開口部を開閉した場合には、各レール同士が衝突する際に、衝突音である不快音が発生してしまうという問題を有している。
【０００５】
本発明は、このような点に鑑みなされたもので、開閉時の不快音の発生を防止できる扉開閉装置を提供することを目的とする。
【０００６】
【課題を解決するための手段】
請求項１記載の扉開閉装置は、開口部を開閉する扉体と、この開口部の上端一側に取り付けられる枠レールと、前記扉体の上端に取り付けられる扉レールと、この扉レールおよび前記枠レールそれぞれに長手方向に沿って摺動可能に嵌合し、前記扉体の開閉によりこれら枠レールおよび扉レールに対して摺動する中間レールと、前記枠レールおよび前記中間レールの間に設けられ、互いに離脱可能に係合することにより前記枠レールに対する前記中間レールの衝突を緩和して消音する消音手段としての第１の係合爪部および第２の係合爪部と、前記中間レールおよび前記扉レールの間に設けられ、互いに離脱可能に係合することにより前記中間レールに対する前記扉レールの衝突を緩和して消音する消音手段としての第３の係合爪部および第４の係合爪部とを具備し、前記開口部の閉鎖状態から前記扉体を開口方向に移動させると、前記第３の係合爪部と前記第４の係合爪部とが係合したまま、前記第１の係合爪部と前記第２の係合爪部とが係合するまで、前記枠レールに対して前記中間レールおよび前記扉レールが移動し、そして前記第１の係合爪部と前記第２の係合爪部とが係合する際に前記第３の係合爪部と前記第４の係合爪部との係合が解除され、この状態からさらに前記扉体を開口方向に移動させると、前記枠レールおよび前記中間レールに対して前記扉レールが移動して前記開口部が開口し、また、前記開口部の開口状態から前記扉体を閉鎖方向に移動させると、前記第３の係合爪部と前記第４の係合爪部とが係合するまで、前記枠レールおよび前記中間レールに対して前記扉レールが移動し、そして前記第３の係合爪部と前記第４の係合爪部とが係合する際に前記第１の係合爪と前記第２の係合爪部との係合が解除され、この状態からさらに前記扉体を閉鎖方向に移動させると、前記枠レールに対して前記中間レールおよび前記扉レールが移動して前記開口部が閉鎖するものである。
【０００７】
請求項２記載の扉開閉装置は、請求項１記載の扉開閉装置において、第４の係合爪部は、扉レールの長手方向における一端内縁に設けられ、第３の係合爪部は、前記扉レールの一端内縁に衝突する中間レールの長手方向における一端縁に設けられ、第１の係合爪部は、枠レールの長手方向における一端内縁に設けられ、第２の係合爪部は、前記枠レールの一端内縁に衝突する前記中間レールの長手方向における中間部に設けられているものである。
【０００８】
請求項３記載の扉開閉装置は、請求項１または２記載の扉開閉装置において、第１の係合爪部、第２の係合爪部、第３の係合爪部および第４の係合爪部は、それぞれ弾性を有する合成樹脂で成形されているものである。
【０００９】
【発明の実施の形態】
以下、本発明の扉開閉装置の一実施の形態の構成を図１ないし図１３を参照して説明する。
【００１０】
図１ないし図１３において、１は扉開閉装置で、この扉開閉装置１は、図２および図３に示すように、既存の図示しない建物の部屋と廊下との間などに設けたドア枠の開口部である開口枠2aに取り付けた扉体としての開戸体を取り外し、この開口枠2aに扉体としての引戸体２を取り付けて、この開口枠2aを開閉可能にする。
【００１１】
そして、この引戸体２は、平板略長方形に形成されており、この引戸体２の上端面には、この上端面の長手方向に沿った横断面略凹溝状の埋設溝部３が形成されている。また、この引戸体２は、上下方向に長手方向を有しており、この引戸体２の両主面、すなわち表面および裏面の長手方向における一側略中央には、長手方向に沿った長穴状の貫通した取手用開口４が穿設されている。さらに、この取手用開口４内での引戸体２の上端側には、この引戸体２の上端面まで貫通した略円筒状の挿通孔５が穿設されている。また、この引戸体２の下端面の両側角部には、Ｕ字状に切り欠かれた埋設凹部6a，6bがそれぞれ形成されている。
【００１２】
さらに、開口枠2aの下端枠から所定距離、この開口枠2aの軸方向に向けて離間した床上には、床用ガイドレール11が取り付けられている。この床用ガイドレール11は、開口枠2aの下端枠の長手方向と平行に長手方向を有して配設されている。さらに、この床用ガイドレール11の幅方向における略中央には、引戸体２の走行方向を規制する横断面略凹溝状の走行凹部12が長手方向に沿って形成されている。また、この走行凹部12の幅方向における両側には、この床用ガイドレール11の両側と建物の床面との凹凸を少なくするための傾斜部13a，13bがそれぞれ形成されている。
【００１３】
また、この床用ガイドレール11の長手方向における両端には、図１ないし図３および図１３に示すように、この床用ガイドレール11の両端を位置決め固定するとともに、この床用ガイドレール上での引戸体の移動を規制するストッパ部材21がそれぞれ取り付けられている。このストッパ部材21は、弾性を有する合成樹脂などで成形されており、略平板状のストッパ本体22を備えている。そして、このストッパ本体22の先端22aには、床用ガイドレール11の長手方向における端部が内部に嵌合される嵌合凹部23が形成されている。また、この嵌合凹部23の幅方向における略中央には、嵌合凹部23に床用ガイドレール11の端部を嵌合させた状態でこの床用ガイドレール11の走行凹部12に挿入し、この床用ガイドレール11の幅方向の歪みを規制する嵌合片24が突設されている。
【００１４】
さらに、ストッパ本体22の嵌合片24の基端22b側の略中央域には、横断面略凹状の係止凹部25が形成されている。この係止凹部25は、引戸体２で開口枠2aを開口または閉鎖した際に、この引戸体２の移動を規制する。また、この係止凹部25の基端22b側には、ねじ体を挿入させて、このねじ体でストッパ本体22を床面に位置決め固定するねじ挿通孔26が穿設されている。このねじ挿通孔26は、ストッパ本体22の基端22bから先端22aへと向かう方向、すなわち長手方向に沿った長穴状に形成されている。このため、このねじ挿通孔26は、床用ガイドレール11に対する長手方向におけるストッパ本体22の取り付け位置を修正する。
【００１５】
そして、ストッパ本体22の基端22bには、上方に向けて突出した平板略矩形状の衝突片27が形成されている。この衝突片27の上端面には、一対のねじ挿通凹部28a，28bが切り欠き形成されている。これら一対のねじ挿通凹部28a，28bは、衝突片27の上端面の両側近傍に、ストッパ本体22の長手方向に沿って形成されている。さらに、ストッパ本体22の先端22a側に位置する一対のねじ挿通凹部28a，28bの開口内縁には、ねじ体の頭部が嵌合する頭嵌合凹部29a，29bがそれぞれ形成されている。これら頭嵌合凹部29a，29bは、各ねじ挿通凹部28a，28bの開口縁から内部へと向かうに連れて徐々に縮径したテーパ状に形成されている。
【００１６】
また、衝突片27の基端側には、この衝突片27を間接的に床面に位置決め固定するための断面略三角形状のストッパ片31が着脱可能に取り付けられている。このストッパ片31の基端側に位置する側面上方には、衝突片27の一対のねじ挿通凹部28a，28bに着脱可能に嵌合する一対の嵌合突片32a，32bが突設されている。さらに、これら一対の嵌合突片32a，32bを突設した側面と対向する側には、下方に向けて傾斜した傾斜面部33が形成されている。この傾斜面部33の略中間部である一対の嵌合突片32a，32bのそれぞれの先端側には、上下方向に向かう一対のねじ挿通孔34a，34bがそれぞれ穿設されている。これらねじ挿通孔34a，34bの上方側の開口内縁には、これらねじ挿通孔34a，34bに挿入したねじ体の頭部が嵌合する頭嵌合凹部35a，35bがそれぞれ形成されている。
【００１７】
そして、引戸体２の埋設凹部6a，6bには、図１および図３に示すように、走行体体ユニット41がそれぞれ埋設されており、この走行体ユニット41は、略平板矩形状のケース体42を備えている。このケース体42は、引戸体２の埋設凹部6a，6bに埋設されており、このケース体42内には、円盤状の走行ローラ43が回転可能に取り付けられている。この走行ローラ43は、走行体ユニット41を引戸体２の埋設凹部6a，6bに埋設した状態で、この埋設凹部6a，6bの下端面およびケース体42の長手方向における一側面からこの走行ローラ43の外周部が一部突出している。
【００１８】
さらに、走行体ユニット41のケース体42内には、このケース体42の一側面に対する走行ローラ43の外周部の突出量を調整する高さ調整機構44、およびケース体42の厚み方向における走行ローラ43の取り付け位置を調整する建て付け調整機構45が取り付けられている。これら高さ調整機構44および建て付け調整機構45は、走行体ユニット41を引戸体２の埋設凹部6a，6bに埋設した状態で、この引戸体２の両側面に位置するケース体42の木口面に取り付けたねじ体46a，46bを回動させることにより調整できる。
【００１９】
そして、図２ないし図４および図７に示すように、開口枠2aの上端枠の内縁には、水平方向に長手方向を有する枠レール51が取り付けられている。この枠レール51は、断面略Ｌ字状の取付部材52と、この取付部材52に着脱可能に長手方向に沿って取り付けられ、引戸体２で開口枠2aを開閉した際に、この引戸体２を支持するレール体53とを備えている。このレール体53は、取付部材52に対して建て付け調整可能に取り付けられている。そして、取付部材52の幅方向における一側片である取付片54には、長手方向に沿って等間隔に離間した複数、例えば５個のねじ挿通孔55が穿設されている。これらねじ挿通孔55は、これらねじ挿通孔55にねじ体の先端をそれぞれ挿通させて、これらねじ体で取付部材52を開口枠2aに取り付ける。
【００２０】
また、取付部材52の幅方向における他側片である支持片56には、図２および図７に示すように、この取付部材52の長手方向に沿って等間隔に離間した複数、例えば３個の長穴としての位置調整孔57が穿設されている。これら位置調整孔57は、取付部材52の幅方向、すなわちレール体53の建て付け方向に向けて拡開した長穴状に形成されている。さらに、この取付部材52の長手方向における両端には、この取付部材52の両端をカバーするカバー片58がそれぞれ取り付けられている。そして、これらカバー片58の外側面には、取付位置を調整するための目安線となる建て付け調整確認機構である位置確認手段としての目盛部59が設けられている。この目盛部59は、取付部材52に対するレール体53の取り付け位置を確認するとともに、取付部材52に取り付けたカバー片58の取付部材52の支持片56の下端面に対する建て付け位置を調整する。
【００２１】
さらに、レール体53は、細長平板状の基体62の両側から垂直に同一方向に向けて長手方向に沿った細長平板状の一対の支持体63a，63bがそれぞれ突出した細長横断面略コ字状に形成されている。このレール体53の基体62には、この基体62の長手方向に沿って等間隔に離間した複数、例えば３個の連通孔としてのねじ挿通孔64が穿設されている。これらねじ挿通孔64は、レール体53を取付部材52の支持片56に取り付ける際に、この支持片56の位置調整孔57に連通し、この位置調整孔57に挿入させたねじ体61でレール体53を取付部材52に位置決め固定する。
【００２２】
また、レール体53の一対の支持体63a，63bの相対する側面の基端には、長手方向に沿って略垂直に突出する保持片65a，65bがそれぞれ設けられている。これら保持片65a，65bは、これら保持片65a，65bと基体62との間に嵌合された角ナット66を介して、ねじ体61でレール体53を取付部材52に取り付ける。
【００２３】
さらに、このレール体53の長手方向における一端よりである支持体63a，63b間には、このレール体53に対する引戸体２の移動を規制するラッチ受部としてのラッチ嵌合部67が取り付けられている。このラッチ嵌合部67は、レール体53に対して長手方向に沿って調整可能である。また、このラッチ嵌合部67には、断面略矩形のラッチ嵌合口68が穿設されている。さらに、レール体53に取り付けた状態でのラッチ嵌合部67の長手方向における他端の下面は、先端に向けて上方に傾斜している。
【００２４】
ここで、枠レール51のレール体53の各支持体63a，63bの外側面には、長手方向に沿って平行に並設された複数、例えば２本の目印線69a，69bが形成されている。これら目印線69a，69bは、後述する中間レール81および扉レール101を、これら目印線69a，69bに合わせてレール体53に嵌合させることにより、レール体53に中間レール81および扉レール101が適性な嵌合量で嵌合する。
【００２５】
そして、レール体53の長手方向における一端には、引戸体２で開口枠2aを閉鎖する際に、このレール体53に対する引戸体２の移動を規制する閉鎖ストッパ72が取り付けられている。この閉鎖ストッパ72は、弾性を有する合成樹脂などで成形されている。さらに、この閉鎖ストッパ72には、下方に向けて突出した第１の嵌合爪部73が形成されている。この第１の嵌合爪部73は、レール体53の他端に向かうに連れて先細になるテーパ状である。
【００２６】
さらに、レール体53の長手方向における他端には、引戸体２で開口枠2aを開口する際に、レール体53に対する引戸体２の移動を規制する開口ストッパ74が取り付けられている。この開口ストッパ74は、弾性を有する合成樹脂などで成形されている。また、この開口ストッパ74の一端には、消音手段としての係合機構である第１の係合爪部75が形成されている。この第１の係合爪部75は、レール体53の支持体63a，63b間に位置している。また、この開口ストッパ74の他端には、先端に向かうに連れて徐々に拡開する略凹状の第１の嵌合受部76が形成されている。この第１の嵌合受部76は、レール体53の支持体63a，63b間に位置しており、レール体53の他端に向けて拡開している。
【００２７】
また、図７に示すように、レール体53の両側に取り付けた閉鎖ストッパ72および開口ストッパ74それぞれの外周域には、扉レール101および中間レール81とレール体53との取り付け量、すなわちこのレール体53に対する扉レール101および中間レール81との嵌合量を規制する規制手段としてのスペーサ77が離脱可能にそれぞれ取り付けられている。これらスペーサ77は、細長帯状の厚手の紙などを、例えば粘着テープなどで貼り付けることにより形成されている。また、これらスペーサ77は、枠レール51の開口枠2aへの正確な取り付け位置を容易に算出させる。
【００２８】
さらに、閉鎖ストッパ72および開口ストッパ74のそれぞれの外周面には、レール体53を取付部材52に取り付けた際に、この取付部材52の目盛部59のいずれか一方にそれぞれ向かい合う目印部78がそれぞれ形成されている。この目印部78は、略三角形状であり、取付部材52の目盛部59に対するレール体53の幅方向における取り付け位置、すなわち引戸体２の厚み方向である建て付け方向を調整する際の目印である。
【００２９】
そして、図１、図５および図６に示すように、このレール体53の支持体63a，63b間には、細長略平板状の中間レール81が長手方向に沿って摺動可能に取り付けられている。この中間レール81は、引戸体２の開閉により枠レール51のレール体53に対して摺動する。また、この中間レール81の一主面上の長手方向における一端には、枠レール51のレール体53の支持体63a，63b間に摺動可能に嵌合される第１の嵌合体としての第１の嵌合ブロック82が取り付けられている。この第１の嵌合ブロック82は、弾性を有する合成樹脂などで横断面略矩形状に成形されており、中間レール81に図示しないピン体によりかしめ固定されている。
【００３０】
また、この第１の嵌合ブロック82の長手方向における一端には、ブロック状のラッチ縮退体84が取り付けられている。このラッチ縮退体84の下面は、基端から先端に向けて上方に傾斜している。
【００３１】
さらに、この第１の嵌合ブロック82から中間レール81の長手方向における他側に向けて離間したこの中間レール81の一主面上には、枠レール51のレール体53の支持体63a，63b間に摺動可能に嵌合される第２の嵌合体としての第２の嵌合ブロック85が取り付けられている。この第２の嵌合ブロック85は、第１の嵌合ブロック82と同一の材質で略同形状に形成されている。また、この第２の嵌合ブロック85の長手方向における他側には、消音手段としての係合機構である第２の係合爪部86が形成されている。この第２の係合爪部86は、合成樹脂などの弾性を有する材質で成形されており、開口枠2aを引戸体２で開口した際に、枠レール51のレール体53の第１の係合爪部75に離脱可能に係合する。ここで、第１の係合爪部75と第２の係合爪部86とは、レール体53および中間レール81の幅方向に相対して係合する。
【００３２】
また、中間レール81の長手方向における他側の他主面上には、第１の係合体としての第１の係合ブロック87が取り付けられている。この第１の係合ブロック87は、弾性を有する合成樹脂などで横断面略凸状に成形されており、中間レール81にピン体によりかしめ固定されている。また、この第１の係合ブロック87の長手方向における両側には、この第１の係合ブロック87の両側面に対して略垂直に突出した係合凸部88a，88bがそれぞれ形成されている。これら係合凸部88a，88bは、第１の係合ブロック87の他側からこの第１の係合ブロック87の長手方向における一側まで長手方向に沿って形成されている。さらに、第１の係合ブロック87の長手方向における他側には、消音手段としての係合機構である第３の係合爪部89が突設されている。
【００３３】
さらに、この第１の係合ブロック87から中間レール81の長手方向における一側に向けて離間したこの中間レール81の他主面上には、第１の係合ブロックと同一の材質で略同形状に成形された第２の係合ブロック92が取り付けられている。
【００３４】
そして、図１および図３ないし図６に示すように、中間レール81には、引戸体２の上端、すなわち埋設溝部３に埋設されて取り付けた扉レール101が長手方向に沿って摺動可能に取り付けられている。この扉レール101は、引戸体２の開閉により中間レール81に対して摺動する。また、この扉レールは101、細長平板状の基体102の両側から垂直に同一方向に向けて長手方向に沿った細長平板状の一対の支持体103a，103bがそれぞれ突出した細長横断面略コ字状に形成されている。この扉レール101の基体102には、この基体102の長手方向に沿って離間した複数、例えば３つのねじ挿通孔104が穿設されている。これらねじ挿通孔104は、扉レール101を引戸体２の埋設溝部３に埋設して取り付けるためのねじ穴である。
【００３５】
また、扉レール101の一対の支持体103a，103bの相対する側面の基端には、扉レール101の長手方向に沿って略垂直に突出する保持片105a，105bがそれぞれ設けられている。そして、これら保持片105a，105bと基体102との間には、中間レール81に取り付けた第１の係合ブロック87および第２の係合ブロック92それぞれを位置決め固定するための角ナット66が配設されている。また、扉レール101の支持体103a，103b間である保持片105a，105bと、この扉レール101の支持体103a，103bの先端に長手方向に沿って形成した嵌合片105c，105dとの間に、第１の係合ブロック87および第２の係合ブロック92それぞれの係合凸部88a，88bが摺動可能に嵌合されている。
【００３６】
さらに、扉レール101の長手方向における一端には、開口側衝突緩和体としての開口側ストッパ106が取り付けられている。この開口側ストッパ106は、弾性を有する合成樹脂などで成形されており、扉レール101の支持体103a，103b間に内設された状態で、この扉レール101の保持片105a，105bと、嵌合片105c，105dとの間に取り付けられている。そして、扉レール101の長手方向における一端側である開口側ストッパ106の一端には、枠レール51のレール体53の他側に取り付けた開口ストッパ74の第１の嵌合受部76と同形の第２の嵌合受部107が形成されている。この第２の嵌合受部107は、開口枠2aを引戸体２で閉鎖した際に、枠レール51のレール体53の一端に取り付けた閉鎖ストッパ72の第１の嵌合爪部73が嵌合する。
【００３７】
また、開口側ストッパ106から扉レール101の長手方向における他端に向けて離間した扉レール101の基体102には、挿通口としての開口部108が穿設されている。この開口部108は、扉レール101の長手方向に沿った長穴状に形成されている。また、この開口部108には、筒状の連通部109が支持体103a，103b側からこの開口部108を貫通した状態で、この連通部109を有する保持ブロック112が取り付けられている。この保持ブロック112の連通部109は、開口枠2aを引戸体２で閉鎖した際に、枠レール51のレール体53に取り付けたラッチ嵌合部67のラッチ嵌合口68に連通する。
【００３８】
そして、扉レール101の長手方向における他端には、閉鎖側衝撃緩和体としての閉鎖側ストッパ113が取り付けられている。この閉鎖側ストッパ113は、弾性を有する合成樹脂などで成形されており、扉レール101の支持体103a，103b間に内設された状態で、この扉レール101の支持体103a，103bと嵌合片105c，105dとの間に取り付けられている。そして、扉レール101の長手方向における一端側である閉鎖側ストッパ113の一端には、消音手段としての係合機構である第４の係合爪部114が突設されている。
【００３９】
この第４の係合爪部114は、開口枠2aを引戸体２で閉鎖した際に、中間レール81の第１の係合ブロック87の第３の係合爪部89に離脱可能に係合する。さらに、これら第４の係合爪部114と第３の係合爪部89との係合は、引戸体２を開口する方向に向けて扉レール101が移動した場合でも、第１の係合爪部75と第２の係合爪部86とが係合するまで、保持される。ここで、これら第３の係合爪部89と第４の係合爪部114とは、中間レール81および扉レール101それぞれの長手方向および幅方向それぞれに直交する方向に相対して係合する。
【００４０】
また、扉レール101の長手方向における他端側である閉鎖側ストッパ113の他端には、枠レール51のレール体53に取り付けた閉鎖ストッパ72の第１の嵌合爪部73と同形の第２の嵌合爪部115が形成されている。この第２の嵌合爪部115は、開口枠2aを引戸体２で閉鎖した際に、レール体53の他端に取り付けた開口ストッパ74の第１の嵌合受部76に嵌合する。
【００４１】
さらに、図１および図４に示すように、引戸体２の取手用開口４には、この引戸体２を開閉する際の引き手となる取手体121が取り付けられている。この引手体121は、引戸体２の内側面から取手用開口４に取り付けれられる図８に示す内側プレート122と、引戸体２の外側面から引手用開口４に取り付けられる図９に示す外側プレート123とを備えている。そして、内側プレート122は、上下方向に長手方向を有しており、この内側プレート122の表面の上方には、開口枠2aを引戸体２で閉鎖した際に、この閉鎖した状態を確保する施錠手段としてのロック部である施錠摘み124が設けられている。この施錠摘み124は、上下方向に移動可能に形成されており、上方に移動させることにより引戸体２を施錠し、下方に移動させることにより引戸体２を解錠する。
【００４２】
また、施錠摘み124の下方である内側プレート122の表面には、引戸体２を開閉する際に、使用者の引手となる引手凹部125が形成されている。さらに、施錠摘み124と引手凹部125との間、およびこの引手凹部125の下方である内側プレート122の表面には、ねじ挿通孔126a，126bがそれぞれ穿設されている。そして、図１０に示すように、施錠摘み124に対向する内側プレート122の裏面には、この施錠摘み124を備えたロック機構としての施錠機構127が配設されている。この施錠機構127は、施錠摘み124を上下方向に移動させる施錠体128と、この施錠体128の移動を段階的に規制する枠体129とを備えている。
【００４３】
そして、施錠摘み124と対向する側であり施錠体128の上端には、略凹状に切り欠かれた切欠凹部132が形成されており、この切欠凹部132の相対する両開口縁には互いに相対する方向に向けて突出した係合片133a，133bがそれぞれ形成されている。また、施錠摘み124と対向する側であり施錠体128の下方には、施錠摘み124と対向する方向に向けて突出する施錠表示凸部134が形成されている。さらに、この施錠体128の一側面には、付勢手段としての弾性体であるばね体135を介して球体136が挿入される有底略円筒状の球挿入口137が開口形成されている。
【００４４】
また、枠体129には、施錠体128を摺動可能に嵌合する嵌合開口138が開口形成されている。この嵌合開口138の一内側面には、施錠体128の球挿入口137に挿通した球体136を離脱可能に係止する略凹弧状の一対の係止部139a，139bが上下方向に離間されて形成されている。これら一対の係止部139a，139bは、枠体129の嵌合開口138に施錠体128を取り付けた状態で、この施錠体128の施錠摘み124を上方に移動させることによりこの施錠体128の球挿入口137に挿入した球体136が、上方側の係止部139aに係合するとともに、施錠摘み124を下方に移動させることにより施錠体128の球挿入口137に挿入した球体136が、下方側の係止部139bに係合する。
【００４５】
さらに、図１１に示すように、外側プレート123は、上下方向に長手方向を有しており、この外側プレート123の裏面上方には、上下方向に拡開した矩形状の摺動凹部142が形成されている。また、この摺動凹部142の略中心には、上下方向に拡開した細長矩形状の表示開口143が穿設されている。この表示開口143の上端縁には、外側プレート123の表面から裏面に向かうに連れて下方に向けて傾斜したテーパ状の傾斜部144が形成されている。さらに、この摺動凹部142の幅方向における両内側中央には、一対の被嵌合部145a，145bがそれぞれ形成されている。
【００４６】
そして、外側プレート123の摺動凹部142には、平板矩形状の摺動プレート146が上下方向に摺動可能に配設されている。この摺動プレート146の中央には、施錠体128の施錠表示凸部134が挿入可能な挿通口147が穿設されている。また、この摺動プレート146の表面側には、この摺動プレート146の上下方向の摺動で、引戸体２の施錠および解錠状態を表示する表示シール148が貼り付けられている。
【００４７】
この表示シール148は、上半分と下半分とが異なる、例えば赤色と青色とに彩色されている。ここで、摺動プレート146は、表面および裏面を反転させても、外側プレート123の摺動凹部142に摺動可能に配設できる。
【００４８】
この結果、例えばトイレなどに引戸体２を取り付ける場合には、摺動プレート146の表示シール148を貼り付けた側を、摺動凹部142の表示開口143から確認できる側に向けて配設し、表示開口143からの表示シール143の色彩の変化の観察で、開口枠2aに対する引戸体２の施錠および解錠状態が確認可能となる。
【００４９】
また、例えば部屋と廊下との仕切り部分などに引戸体２を取り付ける場合には、摺動プレート146の表示シール148が貼り付けられていない側を、摺動凹部142の表示開口143から確認できる側に向けて配設する。すると、摺動プレート146と外側プレート123との色彩を同一にすることにより、表示開口143からの摺動プレート146の観察で、開口枠2aに対する引戸体２の施錠および解錠状態が確認不可能となる。
【００５０】
さらに、外側プレート123の摺動凹部142には、この摺動凹部142を閉塞する蓋体としてのカバー体149が取り付けられている。このカバー体149の長手方向における両側中央には、このカバー体149で摺動凹部142を閉塞した際に、外側プレート123の被嵌合部145a，145bにそれぞれ嵌合する一対の嵌合爪152a，152bが突設されている。また、このカバー体149の中央には、このカバー体149を摺動凹部142に取り付けた際に、外側プレート123の表示開口143に連通する連通開口153が穿設されている。そして、内側プレート122および外側プレート123を引戸体２の取手用開口４に取り付けた状態で、施錠体128の施錠表示凸部134がカバー体149の連通開口153および摺動プレート146の挿通口147を挿通して、外側プレート123の表示開口143へと突出している。
【００５１】
また、外側プレート123の表面の表示開口143の下方には、使用者が引戸体２を開閉する際の引手となる引手凹部154が形成されている。この引手凹部154は、内側プレート122の引手凹部125と略同形状に形成されている。さらに、外側プレート123の裏面の表示開口143と引手凹部154との間、およびこの引手凹部154の下方には、図示しないねじ体が螺着可能なボス部155a，155bがそれぞれ形成されている。これらボス部155a，155bは、引戸体２の取手用開口４に内側プレート122および外側プレート123を取り付けた際に、内側プレート123のねじ挿通孔126a，126bにそれぞれ連通する。そして、これらねじ挿通孔126a，126bからねじ体を挿入して、このねじ体を外側プレート123のボス部155a，155bに螺合させることにより、内側プレート122と外側プレート123とが接続される。
【００５２】
さらに、図１、図４および図１２に示すように、施錠体128の切欠凹部132には、ラッチ機構161が接続されている。このラッチ機構161は、細長略円筒状のシャフト体162を備えている。そして、このシャフト体162の基端には、略円筒状の連結体163が同心状に圧入嵌合されており、この連結体163の外周には、周方向に沿った凹溝状の凹溝部164が形成されている。この凹溝部164には、施錠体128の係合片133a，133bが係合されて、この連結体163の基端が施錠体128の切欠凹部132に嵌合接続される。
【００５３】
また、シャフト体162の先端には、ラッチ体165が螺着されている。このラッチ体165は、断面角筒状のケース体166を備えている。このケース体166内には、付勢手段としての弾性体であるばね体160で付勢されたラッチ167が配設されている。このラッチ167は、ケース体166の先端から突出しており、このラッチ167の突出方向、すなわちケース体166の先端に向けて進退可能にばね体160により付勢されている。また、このラッチ167は、施錠摘み124による施錠で引戸体２の上端面から上方に向けて突出し、開口枠2aを開口する方向への引戸体２の移動を規制する。さらに、このラッチ167の先端には、一側から他側に向けて傾斜した斜面部168が形成されている。
【００５４】
そして、このラッチ機構161は、このラッチ機構161の連結体163を先頭にして、引戸体２の上端からこの引戸体２の挿通孔５に挿入されることにより、このラッチ機構161の連結体163が引戸体２の取手用開口４内に突出する。この状態で、ラッチ機構161のラッチ167は、引戸体２の埋設溝部３に取り付けた扉レール101の開口部108を挿通して、保持ブロック112の連通部109の上端面と面一に突出している。さらに、このラッチ167は、開口枠2aを引戸体２で閉鎖した際における施錠摘み124による施錠でラッチ機構161の移動に伴って上方に向けて移動し、枠レール51のレール体53のラッチ嵌合部67のラッチ嵌合口68に嵌合する。また、このラッチ167は、施錠摘み124による解錠でラッチ機構161の移動に伴って下方に向けて移動し、ラッチ嵌合口68に対する嵌合が解除する。
【００５５】
次に、上記一実施の形態の組み立て動作を説明する。
【００５６】
まず、建物の開口枠2aの幅寸法および高さ寸法を確認するとともに、この開口枠2aの各隅の水平および鉛直を確認する。
【００５７】
次いで、開口枠2aに対する引戸体２の開閉方向が、右開きまたは左開きのいずれかであるかを確認する。
【００５８】
そして、引戸体２の開閉方向が合致していない場合には、枠レール51の取付部材52の位置調整孔57に取り付けられたねじ体61を取り外し、この取付部材52に対するレール体53の取り付け向きを修正する。
【００５９】
さらに、開口枠2aの上端枠の内側に図示しない補強材が埋設されているかを確認する。そして、補強材が埋設されていない場合には、開口枠2aの上端枠内に補強材を埋設する。
【００６０】
また、開口枠2aの上端枠が、ねじ固定可能な壁材、例えば合板またはプラスターボードなどであるかを確認するとともに、この開口枠2aの下端に位置する床面がねじ固定可能な床材、例えば木材フロアなどであるかを確認する。
【００６１】
そして、開口枠2aの下端に位置する床面に床用ガイドレール11を設置した後、この床用ガイドレール11の走行凹部12に、引戸体２の埋設凹部6a，6bに埋設した走行体ユニット41の走行ローラ43が載置するように、この床用ガイドレール11に引戸体２を設置してこの引戸体２を移動させ、この引戸体２で開口枠2aが円滑に開閉できるかどうかを確認する。
【００６２】
この後、引戸体２を設置したままの状態で、床用ガイドレール11を床面にねじ固定する。
【００６３】
次いで、この床用ガイドレール11の両端に、ストッパ部材21のストッパ本体22の嵌合凹部23をそれぞれ嵌合させるとともに、このストッパ本体22の嵌合片24を、床用ガイドレール11の走行凹部12にそれぞれ挿入する。この状態で、各ストッパ本体22のねじ挿通孔26にねじ体を挿入して、これら各ストッパ本体22を床面にねじ固定する。
【００６４】
そして、引戸体２の上端に予め取り付けられている扉レール101および中間レール81に、枠レール51を嵌合させる。この状態で、この引戸体２を床用ガイドレール11に設置した後、枠レール51の取付部材52の取付片54の角部が当接する位置を開口枠2aの上端枠に印す。
【００６５】
この後、床用ガイドレール11から引戸体２を取り外すとともに、この引戸体２から枠レール51を取り外した後、開口枠2aの上端枠に印した枠レール51の取り付け位置に、この枠レール51を当接させる。そして、この枠レール51の取付部材52の各ねじ挿入孔55それぞれにねじ体を挿入して、これらねじ体でこの枠レール51を開口枠2aの上端枠に位置決め固定する。
【００６６】
次いで、床用ガイドレール11に引戸体２を設置するとともに、この引戸体２の埋設溝部３に取り付けた扉レール101および中間レール81を枠レール51のレール体の支持体63a，63b間に摺動可能に嵌合させる。
【００６７】
この後、開口枠2aに対して引戸体２を移動してこの開口枠2aを開閉する。このとき、床用ガイドレール11と引戸体２の下端面とが当接する場合、または床ガイドレール11と引戸体２の下端面との間隔が広い場合には、引戸体２の埋設凹部6a，6bに取り付けた走行体ユニット41の高さ調整機構44のねじ体46aを、図示しないプラスドライバなどで回動させて高さ調整する。
【００６８】
そして、開口枠2aを引戸体２で開閉した際に、引戸体２がストッパ本体22の衝突片27に当接しない場合、または開口枠2aを完全に開鎖する前に引戸体２がストッパ本体22の衝突片27に当接する場合には、各ストッパ本体22のねじ挿通孔26に取り付けたねじ体を緩め、このストッパ本体22を長手方向に向けて移動して調整した後、このねじ体で再度ストッパ本体22を位置決め固定する。
【００６９】
また、枠レール51に対する引戸体２の建て付け位置を調整する場合には、枠レール51の取付部材52の位置調整孔57に取り付けたねじ体61を緩め、この取付部材52の長手方向における両端に設けた目盛部59を用いて、取付部材52に対するレール体53の建て付け位置を調整した後、位置調節孔57に取り付けた各ねじ体61を締め、取付部材52にレール体53をねじ固定する。
【００７０】
さらに、床用ガイドレール11に対する引戸体２の建て付け位置を調整する場合には、引戸体２の埋設凹部6a，6bに取り付けた走行体ユニット41の建て付け調整機構45のねじ体46bを、図示しないプラスドライバなどで回動させて建て付け調整する。
【００７１】
この後、各ストッパ部材21のストッパ片31の各ねじ挿通孔34a，34bのそれぞれにねじ体を挿入して、これら各ストッパ片31を床面に位置決め固定する。このとき、ストッパ部材21のストッパ本体22の衝突片27の外側面が建物の内壁の巾木などに当接する場合には、ストッパ本体22からストッパ片31を取り外し、このストッパ本体22の各ねじ挿通凹部28a，28bにねじ体をそれぞれ挿入して、このねじ体でストッパ本体22を巾木などに位置決め固定する。
【００７２】
次いで、引戸体２の厚み方向に対する施錠摘み124の向きが反転している場合には、引戸体２の取手用開口４から引手体121を一旦取り外す。
【００７３】
そして、内側プレート122の切欠凹部132が、引戸体２の挿通孔５に挿通したラッチ機構161の連結体163の凹溝部164に嵌合するように、引戸体２の取手用開口４に内側プレート122および外側プレート123を取り付ける。そして、内側プレート122のねじ挿通孔126a，126bにねじ体を挿入して、このねじ体を外側プレート122のボス部155a，155bにねじ固定し、これら内側プレート122と外側プレート123とを引戸体２の取手用開口４に位置決め固定する。
【００７４】
この後、開口枠2aを引戸体２で閉鎖した際に、ラッチ機構161のラッチ167が、枠レール51のレール体53のラッチ嵌合部67のラッチ嵌合口68に適性に嵌合するかを確認する。そして、ラッチ嵌合口68に対するラッチ167の嵌合が不適正で、内側プレート122の施錠摘み124で引戸体２による開口枠2aの閉鎖を施錠できない場合には、枠レール51に対するラッチ嵌合部67の取り付け位置を調整する。
【００７５】
次に、上記一実施の形態の動作を説明する。
【００７６】
まず、建物の開口枠2aを引戸体２で閉鎖した状態から、この開口枠2aを開口する方向に向けて引戸体２を移動する。すると、第１の係合ブロック87の第３の係合爪部89と扉レール101の閉鎖側ストッパ113の第４の係合爪部114とが係合したまま、中間レール81の第２の嵌合ブロック85の第２の係合爪部86と、枠レール51のレール体53の開口ストッパ74の第１の係合爪部75とが係合するまで、レール体53に対して中間レール81および扉レール101が伴って摺動する。
【００７７】
このとき、第２の係合爪部86と、第１の係合爪部75とが係合する際に、第１の係合ブロック87の第３の係合爪部89と扉レール101の第４の係合爪部114との係合が解除される。
【００７８】
そして、この状態からさらに引戸体２を開口方向に向けて移動した場合には、中間レール81の第２の係合ブロック92の一端に、レール体53の保持ブロック112の他端が当接するまで、レール体53および中間レール81に対して扉レール101が摺動して、開口枠2aが開口する。
【００７９】
このとき、開口枠2aを開口する側の引戸体２の走行体ユニット41の走行ローラ43が、床用ガイドレール11の他端に取り付けたストッパ部材21のストッパ本体22の係止凹部25内で係止するとともに、このストッパ本体22の衝突片27に引戸体２の他側面の下端が当接する。
【００８０】
さらに、この状態から引戸体２を閉鎖方向に移動して開口枠2aを閉鎖する場合には、中間レール81の第１の係合ブロック87の第３の係合爪部89が、扉レール101の閉鎖側ストッパ113の第４の係合爪部114に係合するまで、レール体53および中間レール81に対して扉レール101が摺動する。
【００８１】
このとき、第３の係合爪部89と第４の係合爪部114とが係合する際に、中間レール81の第２の嵌合ブロック85の第２の係合爪部86と、枠レール51のレール体53の開口ストッパ74の第１の係合爪部75との係合が解除される。
【００８２】
そして、さらに開口枠2aを閉鎖する方向に向けて引戸体２を移動した場合には、レール体53の閉塞ストッパ72の第１の嵌合爪部73が、扉レール101の開口側ストッパ106の第２の嵌合受部107に嵌合するとともに、レール体53の開口ストッパ74の第１の嵌合受部76に、扉用レール101の閉鎖側ストッパ113の第２の嵌合爪部115が嵌合するまで、レール体53に対して中間レール81および扉レール101が伴って摺動して、開口枠2aが閉鎖する。
【００８３】
このとき、開口枠2aを閉鎖する側の引戸体２の走行体ユニット41の走行ローラ43が、床用ガイドレール11の一端に取り付けたストッパ部材21のストッパ本体22の係止凹部25内で係止するとともに、このストッパ本体22の衝突片27に引戸体２の一側面の下端が当接する。
【００８４】
この状態で、内側プレート122の係止部139aにより球体136が係止されるまで施錠摘み124を上方に向けて移動して、引戸体２を施錠した場合には、この施錠摘み124の移動に伴って外側プレート123の摺動プレート146が上方へと摺動し、外側プレート123の表示開口143に、引戸体２を施錠した際の色彩が表示される。
【００８５】
同時に、この施錠摘み124の上方への移動に伴ってラッチ機構161が上方に向けて移動する。すると、このラッチ機構161のラッチ167が枠レール51のラッチ嵌合部67のラッチ嵌合口68に嵌合して、引戸体２を施錠、すなわち保持する。
【００８６】
さらに、内側プレート122の係止部139bにより球体136が係止されるまで施錠摘み124を下方に向けて移動した場合には、この施錠摘み124の移動に伴って外側プレート123の摺動プレート146が下方へと摺動し、外側プレート123の表示開口143に、引戸体２を解錠した際の色彩が表示される。
【００８７】
同時に、この施錠摘み124の下方への移動に伴ってラッチ機構161が下方へと移動する。すると、ラッチ167によるラッチ嵌合口68への嵌合が解除するので、引戸体２が解錠される。
【００８８】
上述したように、上記一実施の形態によれば、引戸体２を開口方向に向けて移動することにより、開口枠2aに取り付けた枠レール51のレール体53に対して中間レール81が摺動するとともに、この中間レール81が引戸体２に取り付けた扉レール101に対して摺動する。
【００８９】
このとき、レール体53の開口ストッパ74の第１の係合爪部75と、中間レール81の第２の嵌合ブロック85の第２の係合爪部86とが係合するので、これら第１の係合爪部75および第２の係合爪部86が係合する際に、レール体53に対する中間レール81の速度を減退させることができる。
【００９０】
よって、レール体53に対する中間レール81の衝突速度を減退して、この衝突を緩和できる。この結果、引戸体２を移動して開口枠2aを開口する際における枠レール51と中間レール81との衝突の際に発生する不快音を防止できる。
【００９１】
また、引戸体２で開口枠2aを閉鎖する場合には、中間レール81の第１の係合ブロック87の第３の係合爪部89が、扉レール101の閉鎖側ストッパ113の第４の係合爪部114に係合し、かつレール体53の閉塞ストッパ72の第１の嵌合爪部73が、扉レール101の開口側ストッパ106の第２の嵌合受部107に嵌合するとともに、レール体53の開口ストッパ74の第１の嵌合受部76に、扉用レール101の閉鎖側ストッパ113の第２の嵌合爪部115が嵌合する。
【００９２】
このため、第３の係合爪部89と第４の係合爪部114とが係合する際に、中間レール81と扉レール101との衝突を緩和し、第１の嵌合爪部73が第２の嵌合受部107に嵌合するとともに第２の嵌合爪部115が第１の嵌合受部76に嵌合する際に、レール体53および中間レール81に対する引戸体２の速度を減退させることができる。
【００９３】
よって、レール体53に対する中間レール81の衝突、および中間レール81に対する扉レール101の衝突速度を減退して、これら衝突を緩和できる。この結果、引戸体２を移動して開口枠2aを閉鎖する際における中間レール81と扉レール101との衝突、およびレール体53と扉レール101との衝突の際に発生する不快音を防止できる。
【００９４】
また、各係合爪部75，86，89，114、各嵌合爪部73，115および各嵌合受部76，107それぞれを、弾性を有する合成樹脂で成形したため、各レール51，81，101が衝突する際の速度をより効率良く減退させることができる。この結果、引戸体２の開閉によって、各レール51，81，101同士が衝突する際における不快音をより効率良く防止できる。
【００９５】
そして、枠レール51の開口ストッパ74の第１の係合爪部75と、中間レール81の第２の係合爪部86との係合を縦方向での係合としたため、枠レール51に対して中間レール81を高さ調節しても、これら第１の嵌合爪部75と第２の係合爪部86との係合を確保できる。
【００９６】
さらに、レール体53の長手方向における他端の開口ストッパ74に第１の係合爪部75を設け、中間レール81の長手方向における一端近傍の第２の嵌合ブロック85に第２の係合爪部86を設け、さらに、この中間レール81の長手方向における他端の第１の係合ブロック87に第３の係合爪部89を設け、扉レール101の長手方向における他端の閉塞側ストッパ113に第４の係合爪部114を設けたため、開口枠2aを引戸体２で開閉する際に、各レール51，81，101間を確実に係合させることができる。
【００９７】
これにより、開口枠2aを引戸体２で開閉する際に、各レール51，81，101の摺動動作を規則的に効率良く規制できるので、各レール51，81，101を見た目良く動作させることができるとともに、各レール51，81，101の構成を容易にでき、安価に製造できる。
【００９８】
また、引戸体２の埋設溝部３に扉レール101、中間レール81および枠レール51のレール体53の一部が埋設されるため、引戸体２を移動して開口枠2aを開口した状態であっても、この開口枠2aの下方から各レール51，81，101が見えにくい。このため、見た目良く引戸体２を開口枠2aに取り付けることができる。
【００９９】
さらに、開口枠2aを引戸体２で開口する際に、扉レール101の第４の係合爪部114に中間レール81の第３の係合爪部89が係合しているので、この中間レール81が、扉レール101の移動に伴って移動した後、この扉レール101に対して摺動する。この結果、開口枠2aの下方から中間レール81が観察される長さが少なくなるので、引戸体２を見た目良く動作させることができる。
【０１００】
また、取付部材52に対するレール体53の取り付け向き、すなわち開口枠2aに対する引戸体２の開閉方向が反転している場合には、取付部材52の位置調整孔57に取り付けたねじ体61を取り外してレール体53を反転させて、再度、このレール体53を取付部材52に取り付け、さらに、引戸体２の埋設溝部３に対して扉レール101および中間レール81を反転させて取り付ける、すなわち引戸体２を反転させて取り付けることにより、開口枠2aに対する引戸体２の開閉方向を変更できる。
【０１０１】
このため、開口枠2aに対する引戸体２の開閉方向が異なる場合であっても、取付部材52に対するレール体53の取り付け向きと、引戸体２に対する扉レール101および中間レール81の取り付け向きとを変更し、すなわち引戸体２の表裏面を反転させることにより対応できる。
【０１０２】
この結果、異なる開閉方向に対応した各レール51，81，101を予め準備しておく必要がなくなるとともに、現場での対応が可能となるので、開口枠2aに対する引戸体２の建て付けが容易にできるとともに、各レール51，81，101の製造コストを削減でき、在庫管理を容易にできる。
【０１０３】
そして、レール体53の長手方向における両端の外周域に、このレール体53に対する中間レール81および扉レール101の嵌合量を規制するスペーサ77をそれぞれ取り付けたことにより、レール体53に対する中間レール81および扉レール101の適性な嵌合量、すなわち取り付け量が容易に分かるとともに、枠レール51の開口枠2aへの正確な取り付け位置を容易に算出できる。
【０１０４】
さらに、枠レール51のレール体53の支持体63a，63bの外側面の目印線69a，69bに合わせて、このレール体53に、引戸体２に予め取り付けられている中間レール81および扉レール101を嵌合させることにより、誤ってスペーサ77を取り外した場合などであっても、レール体53に対する中間レール81および扉レール101の適性な嵌合量、すなわち取り付け量が容易に理解できるとともに、枠レール51の開口枠2aへの正確な取り付け位置を容易に算出できる。
【０１０５】
この結果、引戸体２に取り付けた中間レール81および扉レール101に枠レール51を取り付け、この引戸体２を床用ガイドレール11に設置した状態で、開口枠2aに対する取付部材52の取付片54の当接位置を印す。この後、引戸体２から枠レール51を取り外し、この枠レール51を開口枠2aに取り付け、スペーサ77を取り外した後、この枠レール51に中間レール81および扉レール101を嵌合するとともに、床用ガイドレール11の走行凹部12に引戸体２の走行ローラ43を設置させることにより、レール体53に対する扉レール101の取り付け程度が適性な状態で、引戸体２を開口枠2aに容易に開閉可能に取り付けることができる。このため、引戸体２を建て掛けた状態で、枠レール51を開口枠2aに取り付ける場合に比べ、開口枠2aに対する引戸体２の建て付けを容易にできる。
【０１０６】
また、取付部材52の位置調整孔57を長穴状に穿設したため、この位置調節孔57に取り付けたねじ体61を緩めることにより、取付部材52に対するレール体53の幅方向の調整が可能となる。この結果、開口枠2aに対する引戸体２の厚み方向における調整、すなわち開口枠2aに対する引戸体２の建て付け調整ができるので、開口枠2aに対する引戸体２の建て付け調整を容易にできる。
【０１０７】
さらに、取付部材52の長手方向の両端のそれぞれに目盛部59を設け、レール体53の長手方向の両端のそれぞれに目印部78を設けたため、取付部材52の位置調整孔57に取り付けたねじ体61を緩めて、取付部材52に対するレール体53の取り付け位置を調整する際に、目盛部59に対する目印部78の位置を調整することにより、メジャーなどを用いて取付部材52に対するレール体53の取り付け位置を測定することなく正確に取り付けることができる。よって、開口枠2aに対する引戸体２の建て付け調整をより容易にできる。
【０１０８】
また、開口枠2aを引戸体２で閉鎖した際に、この引戸体２の施錠摘み124を上方に移動することにより、引戸体２の上端から突出したラッチ167が枠レール51のラッチ嵌合部67のラッチ嵌合口68に嵌合して、開口枠2aに対する引戸体２の閉塞を施錠、すなわち保持できる。
【０１０９】
この結果、開口枠2aの両内側面などを加工して引戸体２から突出する図示しないラッチが係合するための図示しない凹部などを形成する必要がなくなるとともに、引戸体２の高さ方向における両側などに図示しないラッチなどの突出物を設ける必要がなくなるので、引戸体２で開口した開口枠2aを通過する際に邪魔するものがなく、洋服などが引戸体２などに引っ掛かるおそれを減少できる。
【０１１０】
また、開口枠2aの両内側面や引戸体の両側面などを加工する必要がないので、複雑な機構が外部からは見えない。この結果、すっきりとした意匠的に優れた扉開閉装置１を提供できるので、荷物などを抱えて通過する場合や、車椅子などで通過する場合であっても、ラッチの位置や大きさなどを確認することなく、安心して通過できる。
【０１１１】
さらに、開口枠2aを閉鎖した際の引戸体２を施錠するための機構を、引戸体２や各レール51，81，101に設けたため、開き戸などの扉体がすでに取り付けられている既存の開口枠2aを引き戸に加工または変更する際における施工作業が容易になるとともに、施工効率を向上できる。
【０１１２】
そして、レール体53に対してラッチ嵌合部67が長手方向に沿って調整可能であるため、このラッチ嵌合部67の取り付け位置を適宜に調整することにより、引戸体２で開口枠2aを閉鎖した際に、施錠摘み124を上方に移動して突出させたラッチ167によるラッチ嵌合口68に対する嵌合度合いを調整できる。この結果、開口枠2aを引戸体２で閉鎖した際における施錠摘み124による施錠をより確実にできる。
【０１１３】
また、枠レール51のラッチ嵌合口68に嵌合するラッチ167を、このラッチ167の突出方向に向けて進退可能にばね体160で付勢し、さらに、このラッチ167の先端に斜面部168を形成したため、引戸体２の施錠摘み124を上方に移動させて上方に向けて突出させたラッチ167がラッチ嵌合口68に嵌合せず、引戸体２を移動させた場合に、このラッチ167が枠レール51などに衝突した際に縮退させることができる。この結果、ラッチ167や各レール51，81，101などの損傷や破損を防止できる。
【０１１４】
さらに、開口枠2aの下端に位置する床面に取り付けた床用ガイドレール11の一端が、建物の内壁の巾木などに近接している場合には、ストッパ部材21のストッパ本体22からストッパ片31を取り外し、このストッパ本体22を床用ガイドレール11の一端に取り付けるとともに、このストッパ本体22のねじ挿通孔26にねじ体を挿入して、このねじ体でストッパ本体22を床面に固定する。さらに、このストッパ本体22のねじ挿通凹部28a，28bにねじ体を挿通させて、このねじ体でストッパ本体22を巾木に固定することにより、床用ガイドレール11の一端を位置決め固定できる。
【０１１５】
また、床面に取り付けた床用ガイドレール11の一端が、建物の内壁の巾木などに近接していない場合には、ストッパ本体22を床用ガイドレール11一端に取り付けるとともに、このストッパ本体22のねじ挿通孔26にねじ体を挿入して、このねじ体でストッパ本体22を床面に固定する。さらに、このストッパ本体22のねじ挿通凹部28a，28bにストッパ片31の嵌合突片32a，32bをそれぞれ嵌合させて、このストッパ片31のねじ挿通孔34a，34bのそれぞれにねじ体を挿入して、これらねじ体でストッパ片31を床面に固定することにより、床用ガイドレール11の一端を位置決め固定できる。
【０１１６】
この結果、ストッパ片31をストッパ本体22に嵌合させることにより、床面に床用ガイドレール11の一端を位置決め固定でき、さらに、ストッパ本体22からストッパ片31を取り外すことにより、床面と巾木との間などに床用ガイドレール11の一端を位置決め固定できる。このため、取り付け位置に合わせてストッパ部材21を交換する必要がなくなるので、ストッパ部材21の使い勝手を向上できるとともに、在庫管理を容易にできる。
【０１１７】
さらに、中間レール81に取り付けた第１の嵌合ブロック82のラッチ縮退体84の下面が、基端から先端に向けて上方に傾斜している。このため、開口枠2aを若干開いた状態で施錠摘み124を上方に向けて移動してラッチ167を上方に向けて突出させた場合に、この状態から引戸体２を移動して開口枠2aを開口すると、ラッチ167がラッチ縮退体84の傾斜した下面により押し下げられる。この結果、誤った状態で、引戸体２の施錠摘み124を上方に向けて移動した場合におけるラッチ機構161および各レール51，81，101の損傷を防止できる。
【０１１８】
また、ラッチ嵌合部67の他端の下面が上方に向けて傾斜しているため、開口枠2aを若干開いた状態で施錠摘み124を上方に向けて移動してラッチ167を上方に向けて突出させた場合に、この状態から引戸体２を移動して開口枠2aを閉鎖すると、ラッチ167がラッチ嵌合部67の傾斜した下面により押し下げられた後、このラッチ嵌合部67のラッチ嵌合口68に嵌合して、引戸体２を施錠できる。
【０１１９】
この結果、誤った状態で、引戸体２の施錠摘み124を上方に向けて移動した場合におけるラッチ機構161および各レール51，81，101の損傷を防止できるとともに、この状態から引戸体２で開口枠2aを閉鎖することにより、この引戸体２を半自動的に施錠できる。
【０１２０】
なお、上記一実施の形態では、ラッチ167を引戸体２の上方に突出させた構成について説明したが、このような構成に限定されることはなく、例えば図１４に示すように、ラッチ167を引戸体２の下端に突出させ、床用ガイドレール11にラッチ嵌合口68を設けることもできる。そして、このように構成することにより、上記一実施の形態と同様の作用効果を奏することができる。
【０１２１】
【発明の効果】
本発明の扉開閉装置によれば、扉体を移動することにより、枠レールに対して中間レールが摺動するとともに、この中間レールに対して扉レールが摺動し、このとき、消音手段が中間レールに対する扉レールの衝突、および枠レールに対する中間レールの衝突を緩和するので、これらレール同士における衝突の際に発生する不快音を防止できる。
【図面の簡単な説明】
【図１】  本発明の扉開閉装置の一実施の形態を示す正面図である。
【図２】  同上扉開閉装置を示す上面図である。
【図３】  同上扉開閉装置を示す側面図である。
【図４】  同上扉開閉装置の開口状態を示す正面図である。
【図５】  同上扉開閉装置を示す分解平面図である。
【図６】  同上扉開閉装置の示す分解平面図である。
【図７】  同上枠レールの一部を示す分解斜視図である。
【図８】  同上扉開閉装置の一部を示す平面図である。
（ａ）引手体の内側プレートを示す背面図
（ｂ）内側プレートを示す断面図
（ｃ）内側プレートを示す正面図
【図９】  同上扉開閉装置の一部を示す平面図である。
（ａ）引手体の外側プレートを示す正面図
（ｂ）外側プレートを示す側面図
（ｃ）外側プレートを示す背面図
【図１０】  同上扉開閉装置の施錠機構を示す分解斜視図である。
【図１１】  同上扉開閉装置の外側プレートの一部を示す分解斜視図である。
【図１２】  同上扉開閉装置のラッチ機構を示す平面図である。
（ａ）ラッチ機構を示す正面図
（ｂ）ラッチ機構を示す側面図
【図１３】  同上同上扉開閉装置のストッパ部材を示す分解斜視図である。
【図１４】  本発明の他の実施の形態を示す斜視図である。
【符号の説明】
１    扉開閉装置
2a    開口部としての開口枠
２    扉体としての引戸体
51    枠レール
75    消音手段としての第１の係合爪部
81    中間レール
86    消音手段としての第２の係合爪部
89    消音手段としての第３の係合爪部
101   扉レール
114   消音手段としての第４の係合爪部
【図１】
0004495836.tif 000002
【図２】
0004495836.tif 000003
【図３】
0004495836.tif 000004
【図４】
0004495836.tif 000005
【図５】
0004495836.tif 000006
【図６】
0004495836.tif 000007
【図７】
0004495836.tif 000008
【図８】
0004495836.tif 000009
【図９】
0004495836.tif 000010
【図１０】
0004495836.tif 000011
【図１１】
0004495836.tif 000012
【図１２】
0004495836.tif 000013
【図１３】
0004495836.tif 000014
【図１４】
0004495836.tif 000015